(57)【要約】  使用者によって選択可能なオブジェクトが表示画面上に密集して表示されている場合に、使用者は指などの選択指示物体で意図した選択可能なオブジェクトを選択することができない。使用者が選択指示物体を表示画面に近接させると、近接位置検出手段により使用者の意図する選択可能なオブジェクトを仮選択し、使用者に仮選択状態を報知した状態で、使用者が選択指示物体を表示画面上の選択可能なオブジェクトの所定の範囲内に接触した場合に本選択とする入力装置を提供する。
2012124279.tif 000002
【特許請求の範囲】
【請求項１】
複数の選択可能なオブジェクトを表示する表示部を備え、
前記オブジェクトのうちひとつを選択指示物体によって選択する入力装置であって、
前記選択指示物体が前記表示部に近接した位置を検出する近接位置検出手段と、
前記近接位置検出手段によって検出された近接位置に基づいて、前記複数のオブジェクトのうちひとつを仮選択する仮選択特定手段と、
前記仮選択特定手段で仮選択されたオブジェクトを報知する仮選択報知手段と、
前記仮選択報知手段により報知中に前記表示部に前記選択指示物体が接触した位置を検出する接触位置検出手段と、
前記仮選択されたオブジェクトの前記表示部上の位置と前記接触位置検出手段によって検出された接触位置との距離が所定の距離以内の場合に、前記仮選択されたオブジェクトを前記選択指示物体によって選択されたとみなす本選択特定手段と、
を備える入力装置。
【請求項２】
請求項１に記載の入力装置であって、
前記近接位置検出手段は、前記表示部と前記選択指示物体との距離を検出し、
前記仮選択特定手段は、前記表示部と前記選択指示物体との距離が所定の距離よりも大きくなった場合に前記仮選択を解除し、
前記仮選択報知手段は、前記仮選択特定手段によって前記仮選択が解除された場合に前記報知を停止する入力装置。
【請求項３】
請求項２に記載の入力装置であって、
前記仮選択特定手段は、前記表示部と前記選択指示物体との距離が所定の範囲内の場合にのみ前記複数のオブジェクトのうちひとつを仮選択する入力装置。
【発明の詳細な説明】
【技術分野】
【０００１】
本発明は、画面上に表示される選択可能なオブジェクトを指などで直接触れて選択入力操作を行う入力装置に関する。
【背景技術】
【０００２】
近年、高性能な携帯電話およびスマートフォンなどの携帯情報端末の普及に伴い、高精細な表示装置を備え、キー入力に代わって指で表示画面を触ることで入力を行うタッチパネルによる入力装置が一般的となってきた。【０００３】
このような入力装置を備える携帯情報端末では、インターネットの情報を閲覧可能な機能を備えており、高精細な表示装置によりＰＣ（パーソナルコンピュータ）上で閲覧する場合と遜色ない使い勝手が実現できるようになってきている。しかしながら、携帯性を重視した携帯情報端末ではＰＣのように表示画面を大きくすることができない。このため、表示画面に表示される使用者により選択可能なオブジェクトの表示画面内での配置が、ＰＣ上で閲覧する場合には問題にならない配置であっても、手のひらサイズの表示画面しか有しない携帯電話やスマートフォンなどの携帯情報端末では、使用者により選択可能なオブジェクトが密集して表示される。従って、使用者の指で選択するには、選択操作が困難になるという問題が生じる。【０００４】
この問題を解決するために、例えば、特許文献１では、表示画面の周辺に近接検出手段を配し、使用者の指が接近していることの検出とその位置を特定し、その位置周辺の表示を拡大することで誤選択を防止し、選択操作を容易にする技術が提案されている。
【先行技術文献】
【特許文献】
【０００５】
【特許文献１】日本国特開２００６―０３１４９９号公報
【発明の概要】
【発明が解決しようとする課題】
【０００６】
しかしながら、上記特許文献１の構成では、使用者の指が表示画面に近接しただけでその部分が拡大表示されることになり、拡大表示されることにより他の部分の一覧性が阻害されるという問題があった。【０００７】
本発明は、上記の問題に鑑み、表示画面に表示されている情報の一覧性を損なわずに使用者の誤選択を防止でき、選択操作を容易にすることができる入力装置を提供することを目的とする。
【課題を解決するための手段】
【０００８】
本発明の入力装置は、複数の選択可能なオブジェクトを表示する表示部を備え、前記オブジェクトのうちひとつを選択指示物体によって選択する入力装置であって、前記選択指示物体が前記表示部に近接した位置を検出する近接位置検出手段と、前記近接位置検出手段によって検出された近接位置に基づいて前記複数のオブジェクトのうちひとつを仮選択する仮選択特定手段と、前記仮選択特定手段で仮選択されたオブジェクトを報知する仮選択報知手段と、仮選択報知手段により報知中に表示部に選択指示物体が接触した位置を検出する接触位置検出手段と、仮選択されたオブジェクトの表示部上の位置と前記接触位置検出手段によって検出された接触位置との距離が所定の距離以内の場合に仮選択されたオブジェクトを選択指示物体によって選択されたとみなす本選択特定手段と、を備えることを特徴とする。【０００９】
この構成により、使用者は仮選択されている選択可能なオブジェクトを仮選択報知手段により確認することができ、仮選択報知手段による報知中に仮選択されている選択可能なオブジェクトの表示画面の位置上の近辺を接触することにより、使用者の意図通りの選択可能なオブジェクトを選択することが可能となる。【００１０】
本発明の入力装置は、前記表示部と前記選択指示物体との距離を検出する前記近接位置検出手段と、前記表示部と前記選択指示物体との距離が所定の距離よりも大きくなった場合に仮選択を解除する前記仮選択特定手段と、前記仮選択特定手段によって仮選択が解除された場合に報知を停止する前記仮選択報知手段と、を備えることを特徴とする。【００１１】
この構成により、使用者の意図しない選択可能なオブジェクトが仮選択された場合に、使用者は選択指示物体を表示部から前記所定の距離以上に離し、仮選択されたオブジェクトの報知を停止させることで、仮選択を解除させることが可能となり、使用者の意図通りの選択可能なオブジェクトを選択することが可能となる。【００１２】
本発明の入力装置は、前記表示部と前記選択指示物体との距離が所定の範囲内の場合にのみ前記複数のオブジェクトのうちひとつを仮選択する前記仮選択特定手段と、を備えることを特徴とする。【００１３】
この構成により、使用者が選択指示物体を選択することを意図した選択可能なオブジェクトに前記所定の範囲内の距離に近づけ、仮選択特定手段により仮選択されている状態で、選択指示物体を表示部に向けてさらに近づけた際に、使用者の意図に反して仮選択される選択可能なオブジェクトが変更されてしまうことを防ぐことが可能となり、使用者の意図通りの選択可能なオブジェクトを選択することが可能となる。
【発明の効果】
【００１４】
以上のように、本発明の入力装置により、使用者は選択可能なオブジェクトが近距離に密集して表示されているような場合であっても、表示されている情報の一覧性を阻害することなく使用者の意図した選択可能なオブジェクトを選択することができる。
【図面の簡単な説明】
【００１５】
【図１】本発明の実施の形態１における入力装置の外観図
【図２】本発明の実施の形態１における入力装置の構成を示すブロック図
【図３】本発明の実施の形態１における図１の選択可能オブジェクト群Ｇ１０５周辺の拡大図
【図４】本発明の実施の形態１における入力装置の動作を示すフローチャート図
【図５】本発明の実施の形態２における入力装置の構成を示すブロック図
【図６】本発明の実施の形態２における図１の選択可能オブジェクト群Ｇ１０５周辺の拡大図
【図７】本発明の実施の形態２における入力装置の動作を示すフローチャート図
【図８】本発明の実施の形態３における入力装置の構成を示すブロック図
【図９】本発明の実施の形態３における図１の選択可能オブジェクト群Ｇ１０５周辺の拡大図
【図１０】本発明の実施の形態３における入力装置の動作を示すフローチャート図
【発明を実施するための形態】
【００１６】
以下に、本発明の実施の形態について、図面を参照しながら説明する。
【００１７】
（実施の形態１）
本発明の実施の形態１における入力装置について、図１から図４を用いて説明する。
【００１８】
図１は、本発明の実施の形態１における入力装置の外観図である。
【００１９】
図１に示すように、本実施の形態１における入力装置１００は、表示画面Ｇ１０１と、表示画面Ｇ１０１を支持する筐体Ｇ１０２と、からなる。表示画面Ｇ１０１は、一例として文字情報Ｇ１０３と、画像情報Ｇ１０４と、使用者によって選択が可能な選択可能オブジェクト群Ｇ１０５と、を表示している。選択可能オブジェクト群Ｇ１０５は１番から４番までが選択可能であり、使用者は自らの指などの選択指示物体Ｇ１０６にて選択可能オブジェクト群Ｇ１０５の中からひとつを選択することで選択可能オブジェクト群Ｇ１０５のそれぞれに割り当てられた機能を選択することが出来る。例えば選択可能オブジェクト群Ｇ１０５の２番の選択可能オブジェクトＧ１０７を選択すると、現在表示されている文字情報Ｇ１０３や画像情報Ｇ１０４とは異なる別の文字情報や画像情報などが表示されるなどである。
【００２０】
図２は、本発明の実施の形態１における入力装置の構成を示すブロック図である。
【００２１】
図２に示すように、本実施の形態１における入力装置１００は、表示部１０１と、全体制御部１０２と、表示情報記憶部１０３と、近接位置検出部１０４と、仮選択特定部１０５と、仮選択報知部１０６と、接触位置検出部１０７と、本選択特定部１０８と、を備える。
【００２２】
全体制御部１０２の指示を受けて、表示部１０１は表示情報記憶部１０３に保持されている表示情報を表示する。前記表示情報は、図１で例示した文字情報Ｇ１０３と、画像情報Ｇ１０４と、選択可能オブジェクト群Ｇ１０５などから構成され、それぞれの情報の表示画面Ｇ１０１の表示上の配置情報を含めて保持されている。
【００２３】
近接位置検出部１０４は、図１で示した選択指示物体Ｇ１０６と表示画面Ｇ１０１とが近接したことを検出し、選択指示物体Ｇ１０６が表示画面Ｇ１０１と平行な水平面上のどの位置に近接したかを検出し、その近接位置情報を仮選択特定部１０５に通知する。仮選択特定部１０５は、近接位置検出部１０４から受領した近接位置情報から、表示情報記憶部１０３に保持されている表示情報に基づいて、近接位置情報から最も近い選択可能オブジェクトをひとつ仮選択として特定する。
【００２４】
仮選択報知部１０６は、仮選択特定部１０５が仮選択として特定した選択可能オブジェクトを使用者に報知する。報知の方法の一例として、仮選択報知部１０６は、全体制御部１０２からの指示の下で、表示情報記憶部１０３の表示情報を操作し、表示部１０１で表示されている仮選択された選択可能オブジェクトの表示色の変更や、仮選択された選択可能オブジェクトの表示を明滅させるなどがある。
【００２５】
接触位置検出部１０７は、図１で示した選択指示物体Ｇ１０６が表示画面Ｇ１０１と接触したことを検出し、選択指示物体Ｇ１０６が表示画面Ｇ１０１のどの位置に接触したかを検出し、その接触位置情報を本選択特定部１０８に通知する。本選択特定部１０８は、受領した接触位置情報と仮選択された選択可能オブジェクトの表示位置情報から両者の距離を算出し、その距離が所定の距離α以内であった場合に本選択されたとして入力を受け付ける。
【００２６】
次に図３と図４を用いて、使用者が選択可能オブジェクト群Ｇ１０５の中から選択可能オブジェクトＧ１０７を選択する手順、すなわち本発明の実施の形態１における入力装置が入力を受け付けるまでの手順について説明する。
【００２７】
図３は、図１にて例示されている表示画面Ｇ１０１に表示されている選択可能オブジェクト群Ｇ１０５周辺の拡大図であり、図３の（１）から（４）は選択指示物体Ｇ１０６が、選択可能オブジェクトＧ１０７が表示されている表示画面Ｇ１０１に接触するまでの遷移を表した図である。図３の（５）と（６）は、図３の（３）から選択指示物体Ｇ１０６が表示画面Ｇ１０１に接触した位置が、選択可能オブジェクト群Ｇ１０５の３番と４番の選択可能オブジェクトＧ１０８とＧ１０９だった場合の図である。また、図３の（ａ）と（ｂ）はそれぞれ、表示画面Ｇ１０１を上から見た場合の図と表示画面Ｇ１０１を横からみた場合の図である。なお、図３の（ｂ）において、表示画面Ｇ１０１上に表示される選択可能なオブジェクトを便宜上太線で表しており、表示画面上に凹凸が必要なわけではない。また、図３の（１）に示したように、選択可能オブジェクト群Ｇ１０５の２番と３番と４番の中心はそれぞれ距離Ｄだけ離れて配置されている。
【００２８】
図４は、本発明の実施の形態１における入力装置の動作を示すフローチャート図である。
【００２９】
まず、選択指示物体Ｇ１０６が表示画面Ｇ１０１から十分離れている状態（図３の（１）に相当）から近接した状態（図３の（２）に相当）となるまでについて説明する。
【００３０】
ステップＳ１０１では、近接位置検出部１０４にて表示画面Ｇ１０１に対して選択指示物体Ｇ１０６の近接を監視しており、選択指示物体Ｇ１０６が表示画面Ｇ１０１から十分離れている状態（図３の（１））では選択指示物体Ｇ１０６の近接を検出することができずステップＳ１０１を繰り返し実施することになる。次に図３の（２）のように選択指示物体Ｇ１０６が表示画面Ｇ１０１に近接すると、近接位置検出部１０４は選択指示物体Ｇ１０６の近接を検出し、ステップＳ１０２へ進むことになる。
【００３１】
ステップＳ１０２では、近接位置検出部１０４にて選択指示物体Ｇ１０６の近接位置、すなわち、表示画面Ｇ１０１と平行な水平面上の位置を検出し、その近接位置情報が仮選択特定部１０５に渡される。次にステップＳ１０３では、仮選択特定部１０５にて、表示情報記憶部１０３に保持されている表示情報から現在表示されている選択可能なオブジェクトの表示画面上の配置情報を得て、ステップＳ１０２で検出した近接位置情報から選択指示物体Ｇ１０６と最も近い選択可能なオブジェクトをひとつ特定し、その選択可能なオブジェクトを仮選択とする。図３の（２）では選択可能オブジェクトＧ１０７が選択指示物体Ｇ１０６の近接位置と最も近いことになり、仮選択される。次にステップＳ１０４では、仮選択報知部１０６にて、表示情報記憶部１０３で保持されている選択可能オブジェクトＧ１０７の表示情報を操作し、全体制御部１０２の指示を受けて表示部１０１を介して使用者に視覚的に報知を行う。報知の方法の一例として、仮選択報知部１０６は、図３の（３）のように選択可能オブジェクトＧ１０７の表示色を変更することで、使用者に仮選択された選択可能なオブジェクトを報知することができる。
【００３２】
次にステップＳ１０５では、仮選択された選択可能オブジェクトＧ１０７が報知されている状態（図３の（３））で、接触位置検出部１０７にて表示画面Ｇ１０１に対して選択指示物体Ｇ１０６の接触を監視しており、この状態では、表示画面Ｇ１０１に対しての接触は検出されずステップＳ１０１に戻ることになる。
【００３３】
次に、仮選択された選択可能オブジェクトＧ１０７が報知されている状態（図３の（３））で、選択指示物体Ｇ１０６が表示画面Ｇ１０１にさらに接近し、図３の（４）のように表示画面Ｇ１０１に接触した場合、ステップＳ１０５では、接触位置検出部１０７にて選択指示物体Ｇ１０６が表示画面Ｇ１０１に接触したことを検出し、ステップＳ１０６へ進むことになる。
【００３４】
ステップＳ１０６では、接触位置検出部１０７にて、選択指示物体Ｇ１０６が表示画面Ｇ１０１のどの位置に接触したかを検出し、その接触位置情報が本選択特定部１０８に渡される。
【００３５】
ステップＳ１０７では、本選択特定部１０８にて、接触位置情報と表示情報記憶部１０３に保持されている選択可能オブジェクトＧ１０７の表示位置から両者の距離を算出し、その距離が所定の距離αよりも大きかった場合には、仮選択された選択可能オブジェクトＧ１０７が選択されなかったことになり、ステップＳ１０１に戻ることになる。本選択特定部１０８にて算出された距離が所定の距離α以内であった場合には、ステップＳ１０８へ進むことになる。この動作を図３の（４）から（６）を用いて説明する。
【００３６】
図３の（４）では、選択指示物体Ｇ１０６は選択可能オブジェクトＧ１０７の真上に接触しており、所定の距離αを距離Ｄよりも大きく、距離Ｄの２倍の２Ｄよりも小さい（Ｄ＜α＜２Ｄ）とすると、本選択特定部１０８は、選択指示物体Ｇ１０６の接触位置と選択可能オブジェクトＧ１０７の表示位置の間の距離は所定の距離αよりも小さいことになり、ステップＳ１０８へ進むことになる。
【００３７】
図３の（６）では、選択指示物体Ｇ１０６は選択可能オブジェクトＧ１０９の真上に接触しており、所定の距離αを距離Ｄよりも大きく、距離Ｄの２倍の２Ｄよりも小さい（Ｄ＜α＜２Ｄ）とすると、本選択特定部１０８は、選択指示物体Ｇ１０６の接触位置と選択可能オブジェクトＧ１０９の表示位置の間の距離は所定の距離αよりも大きいことになり、ステップＳ１０１へ戻ることになる。
【００３８】
図３の（５）では、選択指示物体Ｇ１０６は選択可能オブジェクトＧ１０８の真上に接触しており、所定の距離αを距離Ｄよりも大きく、距離Ｄの２倍の２Ｄよりも小さい（Ｄ＜α＜２Ｄ）とすると、本選択特定部１０８は、選択指示物体Ｇ１０６の接触位置と選択可能オブジェクトＧ１０８の表示位置の間の距離は所定の距離αよりも小さいことになり、ステップＳ１０８へ進むことになる。
【００３９】
ステップＳ１０８では、仮選択されている選択可能オブジェクトＧ１０７が本選択されたとみなし、選択可能オブジェクトＧ１０７が使用者によって本選択されたとして入力を受け付ける。
【００４０】
なお、接触位置検出部１０７にて、選択指示物体Ｇ１０６が表示画面Ｇ１０１に接触した位置を接触位置情報として本選択特定部１０８に通知しているが、選択指示物体Ｇ１０６が表示画面Ｇ１０１に接触した後に離れた位置を接触位置情報として本選択特定部１０８に通知しても構わない。
【００４１】
以上に述べた通り、この実施形態においては、使用者が選択可能オブジェクトＧ１０７を選択しようとした際に、図３の（３）に示したように選択指示物体Ｇ１０６が選択可能オブジェクトＧ１０７へ近接していることを報知することで使用者に仮選択された選択可能オブジェクトを認識させ、その状態から仮に図３の（５）に示したように、選択可能オブジェクトＧ１０８の位置に選択指示物体Ｇ１０６が接触してしまった場合であっても、選択可能オブジェクトＧ１０７が選択されたとして入力を受け付けることが可能となり、使用者にとって意図しない誤操作を防止することが可能となる。
【００４２】
（実施の形態２）
図５は、本発明の実施の形態２における入力装置の構成を示すブロック図である。
【００４３】
図５に示すように、本実施の形態２における入力装置２００は、表示部１０１と、全体制御部１０２と、表示情報記憶部１０３と、近接位置検出部２０４と、仮選択特定部２０５と、仮選択報知部２０６と、接触位置検出部１０７と、本選択特定部１０８と、を備える。
【００４４】
図５において、図２と共通する構成要素には同じ参照符号を付して、本実施形態での説明を省略する。また、本発明の実施の形態２における入力装置の外観図は、本発明の実施の形態１と共通であるので図示を省略し、図１を使用して説明する。
【００４５】
近接位置検出部２０４は、図１で示した選択指示物体Ｇ１０６と表示画面Ｇ１０１とが近接したことを検出し、選択指示物体Ｇ１０６が表示画面Ｇ１０１と平行な水平面上のどの位置に近接したかを検出するとともに、選択指示物体Ｇ１０６と表示画面Ｇ１０１との垂直距離を検出し、近接位置情報とともにその垂直距離を仮選択特定部２０５に通知する。仮選択特定部２０５は、近接位置検出部２０４から受領した垂直距離が所定の距離βより小さい場合には、近接位置検出部２０４から受領した近接位置情報から、表示情報記憶部１０３に保持されている表示情報に基づいて、近接位置情報から最も近い選択可能オブジェクトをひとつ仮選択として特定する。
【００４６】
仮選択報知部２０６は、仮選択特定部２０５が仮選択として特定した選択可能オブジェクトを使用者に報知する。報知の方法の一例は、本発明の実施の形態１で説明した通りであるので省略する。
【００４７】
ここで、近接位置検出部２０４にて検出した選択指示物体Ｇ１０６と表示画面Ｇ１０１との垂直距離が所定の距離β以上だった場合について説明する。仮選択特定部２０５は、近接位置検出部２０４から受領した垂直距離が所定の距離β以上の場合には、現在仮選択している選択可能オブジェクトの仮選択を解除する。仮選択報知部２０６は、仮選択特定部２０５が仮選択を解除した選択可能オブジェクトの使用者に対する報知を停止する。
【００４８】
次に図６と図７を用いて、使用者が選択可能オブジェクト群Ｇ１０５の中から選択可能オブジェクトＧ１０７を仮選択した後に、仮選択を解除する手順について説明する。
【００４９】
図６は、図１にて例示されている表示画面Ｇ１０１に表示されている選択可能オブジェクト群Ｇ１０５周辺の拡大図である。図６の（１）から（４）は、選択指示物体Ｇ１０６が選択可能オブジェクトＧ１０７に近接することで選択可能オブジェクトＧ１０７が仮選択され、仮選択報知部２０６が選択可能オブジェクトＧ１０７が仮選択されたことを報知し、選択指示物体Ｇ１０６が表示画面Ｇ１０１より垂直方向に離れたことで仮選択が解除され、仮選択されたことを示す報知が停止されるまでの遷移を表した図である。図６の（ａ）と（ｂ）はそれぞれ、表示画面Ｇ１０１を上から見た場合の図と表示画面Ｇ１０１を横からみた場合の図である。なお、図６の（ｂ）において、表示画面Ｇ１０１上に表示される選択可能なオブジェクトを便宜上太線で表しており、表示画面上に凹凸が必要なわけではない。
【００５０】
図７は、本発明の実施の形態２における入力装置の動作を示すフローチャート図である。図７において、図４と共通するステップには同じ参照符号を付して、本実施形態での説明を省略する。
【００５１】
まず、選択指示物体Ｇ１０６が表示画面Ｇ１０１から十分離れている状態（図６の（１）に相当）から近接した状態（図６の（２）に相当）となるまでについて説明する。
【００５２】
ステップＳ１０１では、近接位置検出部２０４にて表示画面Ｇ１０１に対して選択指示物体Ｇ１０６の近接を監視しており、選択指示物体Ｇ１０６が表示画面Ｇ１０１から十分離れている状態（図６の（１））では選択指示物体Ｇ１０６の近接を検出することができずステップＳ１０１を繰り返し実施することになる。次に図６の（２）のように選択指示物体Ｇ１０６が表示画面Ｇ１０１に近接すると、近接位置検出部２０４は選択指示物体Ｇ１０６の近接を検出し、ステップＳ２０２へ進むことになる。
【００５３】
ステップＳ２０２では、近接位置検出部２０４にて選択指示物体Ｇ１０６の近接位置、すなわち、表示画面Ｇ１０１と平行な水平面上の位置を検出するとともに、選択指示物体Ｇ１０６と表示画面Ｇ１０１との垂直距離を検出し、近接位置情報とともにその垂直距離が仮選択特定部２０５に渡される。このときの垂直距離を図６の（２）に示すようにＨとし、所定の距離βよりも小さいものとして以降説明する。
【００５４】
次にステップＳ２０３では、仮選択特定部２０５にて、近接位置検出部２０４にて検出された垂直距離Ｈが所定の距離βよりも小さい場合には、表示情報記憶部１０３に保持されている表示情報から現在表示されている選択可能なオブジェクトの表示画面上の配置情報を得て、ステップＳ２０２で検出した近接位置情報から選択指示物体Ｇ１０６と最も近い選択可能なオブジェクトをひとつ特定し、その選択可能なオブジェクトを仮選択とする。図６の（２）では選択可能オブジェクトＧ１０７が選択指示物体Ｇ１０６の近接位置と最も近いことになり、仮選択される。
【００５５】
次にステップＳ２０４では、仮選択報知部２０６にて、表示情報記憶部１０３で保持されている選択可能オブジェクトＧ１０７の表示情報を操作し、全体制御部１０２の指示を受けて表示部１０１を介して使用者に視覚的に報知を行う。報知の方法の一例として、仮選択報知部１０６は、図６の（３）のように選択可能オブジェクトＧ１０７の表示色を変更することで使用者に仮選択された選択可能なオブジェクトを報知することができる。
【００５６】
以降のステップＳ１０５からステップＳ１０８は、図４と共通するステップとなるので省略する。
【００５７】
次に、選択可能オブジェクトＧ１０７が仮選択され、使用者に対して仮選択されていることを報知中の状態、すなわち図６の（３）の状態から、図６の（４）のように選択指示物体Ｇ１０６が表示画面Ｇ１０１から離れ、垂直距離Ｈ’となった場合について、垂直距離Ｈ’は所定の距離βよりも大きいものとして説明する。
【００５８】
図６の（３）の状態でステップＳ２０４の手順がなされ、ステップＳ１０５で、接触位置検出部１０７にて、表示画面Ｇ１０１への接触が検出されず、ステップＳ１０１に戻り、近接位置検出部２０４にて選択指示物体Ｇ１０６の近接を検出し、ステップＳ２０２へ進むことになる。
【００５９】
ステップＳ２０２では、近接位置検出部２０４にて、選択指示物体Ｇ１０６と表示画面Ｇ１０１との垂直距離Ｈ’を検出し、さらに選択指示物体Ｇ１０６の表示画面Ｇ１０１と平行な水平面上の位置を検出し、近接位置情報とともにその垂直距離が仮選択特定部２０５に渡される。
【００６０】
次に、ステップＳ２０３では、仮選択特定部２０５にて、近接位置検出部２０４にて検出された垂直距離Ｈ’が所定の距離βよりも大きい場合には、現在仮選択中の選択可能なオブジェクトＧ１０７の仮選択を解除する。
【００６１】
次に、ステップＳ２０４では、仮選択報知部２０６にて、表示情報記憶部１０３で保持されている選択可能オブジェクトＧ１０７の表示情報を操作し、全体制御部１０２の指示を受けて表示部１０１を介して報知を停止する。
【００６２】
なお、選択指示物体Ｇ１０６と表示画面Ｇ１０１の垂直距離は、表示画面Ｇ１０１と平行な水平面上の選択指示物体Ｇ１０６の位置とは関係付ける必要はない。
【００６３】
以上に述べた通り、この実施形態においては、使用者が選択可能オブジェクトＧ１０７以外の選択可能オブジェクトを選択しようとした際に、誤って選択可能オブジェクトＧ１０７を仮選択してしまった場合に、選択指示物体Ｇ１０６を表示画面Ｇ１０１から遠ざけることで、選択可能オブジェクトＧ１０７の仮選択が解除され報知が停止される。これにより、使用者は再度意図した選択可能オブジェクトを選択することが可能となり、使用者にとって意図しない誤操作を防止することができる。
【００６４】
（実施の形態３）
図８は、本発明の実施の形態３における入力装置の構成を示すブロック図である。
【００６５】
図８に示すように、本実施の形態３における入力装置３００は、表示部１０１と、全体制御部１０２と、表示情報記憶部１０３と、近接位置検出部２０４と、仮選択特定部３０５と、仮選択報知部２０６と、接触位置検出部１０７と、本選択特定部１０８と、を備える。
【００６６】
図８において、図５と共通する構成要素には同じ参照符号を付して、本実施形態での説明を省略する。また、本発明の実施の形態３における入力装置の外観図は、本発明の実施の形態１と共通であるので図示を省略し、図１を使用して説明する。
【００６７】
仮選択特定部３０５は、近接位置検出部２０４から受領した垂直距離が所定の範囲内、すなわち、所定の距離γよりも大きく、かつ、所定の距離βよりも小さい場合（γ＜垂直距離＜β）には、近接位置検出部２０４から受領した近接位置情報から表示情報記憶部１０３に保持されている表示情報に基づいて、近接位置情報から最も近い選択可能オブジェクトをひとつ仮選択として特定する。
【００６８】
ここで、近接位置検出部２０４にて検出した選択指示物体Ｇ１０６と表示画面Ｇ１０１との垂直距離が所定の距離γ以下だった場合について説明する。仮選択特定部３０５は、近接位置検出部２０４から受領した垂直距離が所定の距離γ以下の場合には、現在仮選択している選択可能オブジェクトの仮選択を解除せずに固定する。
【００６９】
次に図９と図１０を用いて、使用者が選択可能オブジェクト群Ｇ１０５の中から選択可能オブジェクトＧ１０７を仮選択した後に、選択可能オブジェクトＧ１０８を本選択する手順について説明する。
【００７０】
図９は、図１にて例示されている表示画面Ｇ１０１に表示されている選択可能オブジェクト群Ｇ１０５周辺の拡大図である。図９の（１）は、選択指示物体Ｇ１０６が表示画面Ｇ１０１と垂直距離Ｈだけ離れている図であり、図６の（３）と同じ状態を表した図である。垂直距離Ｈは、所定の距離βよりも小さく、かつ、所定の距離γよりも大きいものとする。図９の（２）は、図９の（１）から選択指示物体Ｇ１０６を表示画面Ｇ１０１と水平に移動させ選択可能オブジェクトＧ１０８の真上まで移動させた際の図である。図９の（３）は、図９の（１）から選択指示物体Ｇ１０６を表示画面Ｇ１０１に対して垂直に接近させ垂直距離がＨ”とした際の図である。垂直距離Ｈ”は、所定の距離γよりも小さいものとする。図９の（４）は、図９の（３）から垂直距離Ｈ”を保ったまま選択可能オブジェクトＧ１０８の真上まで選択指示物体Ｇ１０６を移動させた際の図である。図９の（ａ）と（ｂ）はそれぞれ、表示画面Ｇ１０１を上から見た場合の図と表示画面Ｇ１０１を横から見た場合の図である。なお、図９の（ｂ）において、表示画面Ｇ１０１上に表示される選択可能なオブジェクトを便宜上太線で表しており、表示画面上に凹凸が必要なわけではない。
【００７１】
図１０は、本発明の実施の形態３における入力装置の動作を示すフローチャート図である。図１０において、図７と共通するステップには同じ参照符号を付して、本実施形態での説明を省略する。
【００７２】
まず、選択指示物体Ｇ１０６が表示画面Ｇ１０１に垂直距離Ｈで接近し、選択可能オブジェクトＧ１０７が仮選択されるまでについて説明する（図９の（１）の状態）。
【００７３】
ステップＳ１０１において、近接位置検出部２０４にて選択指示物体Ｇ１０６の近接を検出し、ステップＳ２０２で垂直距離Ｈと近接位置情報を検出し、仮選択特定部３０５に渡される。次にステップＳ３０３では、仮選択特定部３０５にて、近接位置検出部２０４にて検出された垂直距離Ｈが所定の距離βよりも小さく、かつ、垂直距離Ｈが所定の距離γよりも大きい場合には、表示情報記憶部１０３に保持されている表示情報から現在表示されている選択可能なオブジェクトの表示画面上の配置情報を得て、ステップＳ２０２で検出した近接位置情報から選択指示物体Ｇ１０６と最も近い選択可能なオブジェクトをひとつ特定し、その選択可能なオブジェクトを仮選択とする。図９の（１）では選択可能オブジェクトＧ１０７が選択指示物体Ｇ１０６の近接位置と最も近いことになり、仮選択される。次にステップＳ２０４では、仮選択報知部２０６にて表示部１０１を介して使用者に視覚的に報知を、図９の（１）のように行う。
【００７４】
続いて、図９の（１）の状態から図９の（２）の状態のように選択指示物体Ｇ１０６が表示画面Ｇ１０１と平行に移動した場合について説明する。
【００７５】
ステップＳ１０５では選択指示物体Ｇ１０６と表示画面Ｇ１０１の接触を検出しないためフローチャート上の動作はステップＳ１０１へ戻ることになる。ステップＳ１０１では、近接位置検出部２０４にて、選択指示物体Ｇ１０６の近接を検出しステップＳ２０２へ進む。ステップＳ２０２では、近接位置検出部２０４にて垂直距離Ｈと近接位置情報を検出し、仮選択特定部３０５へ渡される。ここで、このときの近接位置情報は表示画面Ｇ１０１と平行な水平面上で選択可能オブジェクト群Ｇ１０５の３番である選択可能オブジェクトＧ１０８の真上の近接位置情報となる。よって、ステップＳ３０３とステップＳ２０４では、図９の（１）で選択可能オブジェクトＧ１０７が仮選択され使用者に報知されたのと同様に選択可能オブジェクトＧ１０８が仮選択されて使用者に報知される。本動作は、選択指示物体Ｇ１０６と表示画面Ｇ１０１の垂直距離が、所定の距離βよりも大きく、かつ、所定の距離γよりも小さい状態で、選択指示物体Ｇ１０６を表示画面Ｇ１０１上で移動させると移動させた表示画面Ｇ１０１の水平面上の位置により仮選択される選択可能オブジェクトが変更されることを意味している。
【００７６】
次に、図９の（１）の状態から図９の（３）の状態のように選択指示物体Ｇ１０６が表示画面Ｇ１０１に対して垂直に移動した場合について説明する。
【００７７】
図９の（１）の状態になったステップＳ１０５から説明する。ステップＳ１０５では選択指示物体Ｇ１０６と表示画面Ｇ１０１の接触を検出しないためフローチャート上の動作はステップＳ１０１へ戻ることになる。ステップＳ１０１では、近接位置検出部２０４にて、選択指示物体Ｇ１０６の近接を検出しステップＳ２０２へ進む。ステップＳ２０２では、近接位置検出部２０４にて垂直距離Ｈ”と近接位置情報を検出し、仮選択特定部３０５へ渡される。次にステップＳ３０３では、近接位置検出部２０４にて検出された垂直距離Ｈ”が所定の距離γよりも小さい場合、仮選択特定部３０５では、現在仮選択されている選択可能オブジェクトＧ１０７の仮選択を固定する。次にステップＳ２０４では、仮選択報知部にて選択可能オブジェクトＧ１０７の報知が続けられ、ステップＳ１０５では、選択指示物体Ｇ１０６は表示画面Ｇ１０１には接触していないためステップＳ１０１へ戻ることになる。
【００７８】
続いて、図９の（３）の状態から図９の（４）の状態のように選択指示物体Ｇ１０６が表示画面Ｇ１０１に対して垂直距離Ｈ”のまま平行に移動した場合について説明する。
【００７９】
ステップＳ１０１では、近接位置検出部２０４にて、選択指示物体Ｇ１０６の近接を検出しステップＳ２０２へ進む。ステップＳ２０２では、近接位置検出部２０４にて垂直距離Ｈ”と近接位置情報を検出し、仮選択特定部３０５へ渡される。次にステップＳ３０３では、仮選択特定部３０５にて、近接位置検出部２０４から渡された垂直距離Ｈ”が所定の距離γよりも小さいため、現在仮選択されている選択可能オブジェクトＧ１０７の報知は続くことになる。
【００８０】
以上に述べた通り、この実施形態においては、使用者が選択指示物体Ｇ１０６と表示画面Ｇ１０１との垂直距離を所定の距離βよりも小さく、かつ、所定の距離γよりも大きい状態を保ったまま選択指示物体を移動させると、その時々で選択指示物体Ｇ１０６とＧ１０１の水平面上の距離が最も近い仮選択可能オブジェクトに仮選択が変わるが、前記垂直距離を所定の距離γよりも小さくすると仮選択された選択可能オブジェクトを変更しないようにすることができる。これにより、使用者が仮選択した後に、選択指示物体Ｇ１０６を表示画面Ｇ１０１に接触させる際に、誤って選択指示物体が表示画面Ｇ１０１と平行に移動してしまい、使用者が意図した選択可能オブジェクトの仮選択が解除され、意図しない選択可能オブジェクトを選択してしまうことを防ぎ、使用者にとって意図しない誤操作を防止することが可能となる。
【００８１】
なお、本出願は、２０１１年３月１５日出願の日本特許出願（特願２０１１−０５６１３１）に基づくものであり、その内容はここに参照として取り込まれる。
【産業上の利用可能性】
【００８２】
本発明にかかる入力装置は、高精細な表示装置を備え使用者の指を表示画面に接触することで使用者の意図した表示画面上のオブジェクトを選択する入力方法を採用する携帯電話やカーナビゲーション装置などに適用可能である。
【符号の説明】
【００８３】
Ｇ１０１  表示画面
Ｇ１０２  筐体
Ｇ１０３  文字情報
Ｇ１０４  画像情報
Ｇ１０５、Ｇ１０７、Ｇ１０８、Ｇ１０９  選択可能オブジェクト群
Ｇ１０６  選択指示物体
１００、２００、３００  入力装置
１０１  表示部
１０２  全体制御部
１０３  表示情報記憶部
１０４、２０４  近接位置検出部
１０５、２０５、３０５  仮選択特定部
１０６、２０６  仮選択報知部
１０７  接触位置検出部
１０８  本選択特定部
【図１】
2012124279.tif 000003
【図２】
2012124279.tif 000004
【図３】
2012124279.tif 000005
【図４】
2012124279.tif 000006
【図５】
2012124279.tif 000007
【図６】
2012124279.tif 000008
【図７】
2012124279.tif 000009
【図８】
2012124279.tif 000010
【図９】
2012124279.tif 000011
【図１０】
2012124279.tif 000012
【手続補正書】
【提出日】平成24年7月6日(2012.7.6)
【手続補正１】
【補正対象書類名】特許請求の範囲
【補正対象項目名】全文
【補正方法】変更
【補正の内容】
【特許請求の範囲】
【請求項１】
複数の選択可能なオブジェクトを表示する表示部を備え、
前記オブジェクトのうちひとつを選択指示物体によって選択する入力装置であって、
前記選択指示物体が前記表示部に近接した位置を検出する近接位置検出手段と、
前記近接位置検出手段によって検出された近接位置に基づいて、前記複数のオブジェクトのうちひとつを仮選択する仮選択特定手段と、
前記仮選択特定手段で仮選択されたオブジェクトを他のオブジェクトの表示に影響を与えずに報知する仮選択報知手段と、
前記仮選択報知手段により報知中に前記表示部に前記選択指示物体が接触した位置を検出する接触位置検出手段と、
前記仮選択されたオブジェクトの前記表示部上の略中心位置と前記接触位置検出手段によって検出された接触位置との距離が所定の距離以内の場合に、前記仮選択されたオブジェクトを前記選択指示物体によって選択されたとみなす本選択特定手段と、
を備える入力装置。
【請求項２】
複数の選択可能なオブジェクトを表示する表示部を備え、
前記オブジェクトのうちひとつを選択指示物体によって選択する入力装置であって、
前記選択指示物体が前記表示部に近接した位置を検出する近接位置検出手段と、
前記近接位置検出手段によって検出された近接位置に基づいて、前記複数のオブジェクトのうちひとつを仮選択する仮選択特定手段と、
前記仮選択特定手段で仮選択されたオブジェクトを拡大することなく報知する仮選択報知手段と、
前記仮選択報知手段により報知中に前記表示部に前記選択指示物体が接触した位置を検出する接触位置検出手段と、
前記仮選択されたオブジェクトの前記表示部上の略中心位置と前記接触位置検出手段によって検出された接触位置との距離が所定の距離以内の場合に、前記仮選択されたオブジェクトを前記選択指示物体によって選択されたとみなす本選択特定手段と、
を備える入力装置。
【請求項３】
請求項１または２に記載の入力装置であって、
前記近接位置検出手段は、前記表示部と前記選択指示物体との距離を検出し、
前記仮選択特定手段は、前記表示部と前記選択指示物体との距離が所定の距離よりも大きくなった場合に前記仮選択を解除し、
前記仮選択報知手段は、前記仮選択特定手段によって前記仮選択が解除された場合に前記報知を停止する入力装置。
【請求項４】
請求項３に記載の入力装置であって、
前記仮選択特定手段は、前記表示部と前記選択指示物体との距離が所定の範囲内の場合にのみ前記複数のオブジェクトのうちひとつを仮選択する入力装置。
【請求項５】
複数の選択可能なオブジェクトを表示するステップと、
選択指示物体が表示部に近接した位置を検出するステップと、
前記検出された近接位置に基づいて、前記複数のオブジェクトのうちひとつを仮選択するステップと、
前記仮選択されたオブジェクトを他のオブジェクトの表示に影響を与えずに報知するステップと、
報知中に前記表示部に前記選択指示物体が接触した位置を検出するステップと、
前記仮選択されたオブジェクトの前記表示部上の略中心位置と検出された接触位置との距離が所定の距離以内の場合に、前記仮選択されたオブジェクトを前記選択指示物体によって選択されたとみなすステップと、
を備える入力方法。
【請求項６】
複数の選択可能なオブジェクトを表示するステップと、
選択指示物体が表示部に近接した位置を検出するステップと、
前記検出された近接位置に基づいて、前記複数のオブジェクトのうちひとつを仮選択するステップと、
前記仮選択されたオブジェクトを拡大することなく報知するステップと、
報知中に前記表示部に前記選択指示物体が接触した位置を検出するステップと、
前記仮選択されたオブジェクトの前記表示部上の略中心位置と検出された接触位置との距離が所定の距離以内の場合に、前記仮選択されたオブジェクトを前記選択指示物体によって選択されたとみなすステップと、
を備える入力方法。
【国際調査報告】
2012124279.tif 000013
2012124279.tif 000014